(57)【要約】【課題】所要周波数帯域を増大させることなく伝送効率を向上させること。【解決手段】データ分割部１０６は、送信データに対してシリアルパラレル変換処理を行う。データ分割部１０６は、シリアルパラレル変換後の送信データを二つに分割して第１および第２分割データを生成する。拡散符号割り当て部１０８は、第１分割データを複数の拡散符号に割り当てて、割り当て情報をメモリ装置１１０−１、…、１１０−Ｎ（Ｎは２以上の整数）に出力する。メモリ装置１１０−１〜１１０−Ｎは、割り当て情報に従って、第１分割データが割り当てられた複数の拡散符号を出力する。拡散部１１２は、メモリ装置１１０−１〜１１０−Ｎからの複数の拡散符号を用いて第２分割データを拡散する。【選択図】      図１
2004260507.tif 000002
【特許請求の範囲】
【請求項１】
送信データを二つに分割して第１および第２分割データを生成する分割手段と、
生成された前記第１分割データを複数の拡散符号に割り当てる割り当て手段と、
生成された前記第２分割データを前記第１分割データが割り当てられた前記複数の拡散符号を用いて拡散する拡散手段と、
を具備することを特徴とする送信装置。
【請求項２】
前記第１分割データが割り当てられる拡散符号の個数を限定する個数限定手段を具備し、
前記割り当て手段は、
限定された前記拡散符号の個数に基づいて前記第１分割データの割り当てを行うことを特徴とする請求項１記載の送信装置。
【請求項３】
前記個数限定手段は、
前記第２分割データを拡散することにより生成される拡散信号が伝送される回線の回線品質が良いか否かを判定して前記回線品質が悪い時に前記拡散符号の個数を限定することを特徴とする請求項２記載の送信装置。
【請求項４】
前記個数限定手段は、
前記第２分割データを拡散することにより生成される拡散信号の遅延分散量が大きいか否かを判定して前記遅延分散量が大きい時に前記拡散符号の個数を限定することを特徴とする請求項２または請求項３記載の送信装置。
【請求項５】
前記個数限定手段は、
前記送信データが制御用データまたは再送データであるか否かを判定して前記送信データが前記制御用データまたは前記再送データである時に前記拡散符号の個数を限定することを特徴とする請求項２から請求項４のいずれかに記載の送信装置。
【請求項６】
請求項１から請求項５のいずれかに記載の送信装置を具備することを特徴とする基地局装置。
【請求項７】
請求項１から請求項５のいずれかに記載の送信装置を具備することを特徴とする通信端末装置。
【請求項８】
複数の拡散符号を用いて拡散されている拡散信号に対して相関検出を行って複数の相関検出結果を生成する相関検出手段と、
生成された前記複数の相関検出結果のうちの前記複数の拡散符号に対応する対応相関検出結果を選択する選択手段と、
選択された前記対応相関検出結果を受信データとして出力するデータ出力手段と、
を具備することを特徴とする受信装置。
【請求項９】
前記選択手段は、
前記複数の相関検出結果のうちの最大相関値を有する第１相関検出結果と、前記最大相関値との差が所定値以下である相関値を有する少なくとも一つの第２相関検出結果と、を選択することにより前記対応相関検出結果の選択を行うことを特徴とする請求項８記載の受信装置。
【請求項１０】
請求項８または請求項９記載の受信装置を具備することを特徴とする基地局装置。
【請求項１１】
請求項８または請求項９記載の受信装置を具備することを特徴とする通信端末装置。
【請求項１２】
送信データを二つに分割して第１および第２分割データを生成する分割ステップと、
生成した前記第１分割データを複数の拡散符号に割り当てる割り当てステップと、
生成した前記第２分割データを前記第１分割データを割り当てた前記複数の拡散符号を用いて拡散する拡散ステップと、
を具備することを特徴とする送信方法。
【請求項１３】
複数の拡散符号を用いて拡散されている拡散信号に対して相関検出を行って複数の相関検出結果を生成する相関検出ステップと、
生成した前記複数の相関検出結果のうちの前記複数の拡散符号に対応する対応相関検出結果を選択する選択ステップと、
選択した前記対応相関検出結果を受信データとして出力するデータ出力ステップと、
を具備することを特徴とする受信方法。
【発明の詳細な説明】
【０００１】
【発明の属する技術分野】
本発明は、送信装置、受信装置、送信方法および受信方法に関し、特にＣＣＫ（Ｃｏｍｐｌｅｍｅｎｔａｒｙ  Ｃｏｄｅ  Ｋｅｙｉｎｇ）変調を用いる通信方式を適用する送信装置、受信装置、送信方法および受信方法に関する。
【０００２】
【従来の技術】
無線ＬＡＮ（Ｌｏｃａｌ  Ａｒｅａ  Ｎｅｔｗｏｒｋ）においてデータ伝送速度の高速化を実現するための技術の１つとして、標準規格ＩＥＥＥ（Ｔｈｅ  Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１ｂにおいて使用されるＣＣＫ変調方式が挙げられる（たとえば非特許文献１参照）。
【０００３】
以下、ＣＣＫ変調方式を適用する無線ＬＡＮにおける従来の送信装置、送信方法、受信装置および受信方法について説明する。
【０００４】
図７は、従来の送信装置の構成の一例を示すブロック図である。図７に示す送信装置７００は、送信データ出力部７０２、符号化部７０４、データ分割部７０６、メモリ装置７０８、拡散部７１０、無線送信部７１２および送信アンテナ７１４を具備している。
【０００５】
送信データ出力部７０２は、送信信号に対して送信制御を行い送信データを出力する。符号化部７０４は、送信データに対して符号化処理を行う。データ分割部７０６は、符号化部７０４からの送信データに対してシリアルパラレル（以下、「Ｓ／Ｐ」と記す）変換処理を行う。そして、データ分割部７０６は、Ｓ／Ｐ変換処理後の送信データを二つのデータ系列に分割して第１および第２分割データを生成する。たとえば、データ分割部７０６は、８ビットのデータ系列を有する送信データを６ビットのデータ系列を有する第１分割データおよび２ビットのデータ系列を有する第２分割データに分割する。データ分割部７０６は、第１分割データをメモリ装置７０８に出力し、第２分割データを拡散部７１０に出力する。
【０００６】
メモリ装置７０８は、第１分割データにおける全てのデータ系列に対応するＫ個（Ｋは２以上の整数）の拡散符号を予め記憶している。たとえば、第１分割データが６ビットを有する場合、６４通りのデータ系列に対応する６４個の拡散符号が記憶されている。そして、メモリ装置７０８は、データ分割部７０６からの第１分割データをＫ個の拡散符号のうちの１個の拡散符号に割り当てて、拡散符号を拡散部７１０に出力する。拡散部７１０は、メモリ装置７０８からの拡散符号を用いて第２分割データを拡散して拡散信号を生成する。無線送信部７１２は、拡散部７１０からの拡散信号をＲＦ（Ｒａｄｉｏ  Ｆｒｅｑｕｅｎｃｙ）信号に周波数変換して、送信アンテナ７１４から無線送信する。
【０００７】
図８は、従来の送信装置と無線通信を行う受信装置の構成の一例を示すブロック図である。図８に示す受信装置８００は、受信アンテナ８０２、無線受信部８０４、復調部８０６、誤り訂正部８０８、誤り検出部８１０および受信信号出力部８１２を具備している。復調部８０６の内部構成の一例は、図９に示すとおりである。復調部８０６は、相関検出部９０２−１、…、９０２−Ｋ、最大値検出部９０４および受信データ出力部９０６を具備している。
【０００８】
無線受信部８０４は、受信アンテナ８０２を介して受信された送信装置７００からの拡散信号をベースバンド信号に周波数変換する。復調部８０６は、無線受信部８０４からの拡散信号に対して復調処理を行い受信データを出力する。
【０００９】
より具体的には、復調部８０６において、相関検出部９０２−１〜９０２−Ｋは、Ｋ個の拡散符号を用いて拡散信号に対して相関検出処理を行うことによりＫ個の相関検出結果を生成する。ここで、Ｋ個の相関検出結果は、Ｋ個の拡散符号にそれぞれ対応するものである。最大値検出部９０４は、Ｋ個の相関検出結果における各相関値を相互に比較することにより最大の相関値を検出して、最大の相関値を有する相関検出結果を出力する。受信データ出力部９０６は、各拡散符号に対応するデータ系列を予め記憶している。受信データ出力部９０６は、最大値検出部９０４からの相関検出結果に基づいてデータ系列を選択し、相関検出結果を受信データとして出力する。
【００１０】
誤り訂正部８０８は、受信データ出力部９０６からの受信データに対して誤り訂正処理を行う。誤り検出部８１０は、誤り訂正部８０８からの受信データに対して誤り検出処理（たとえばＣＲＣ（Ｃｙｃｌｉｃ  Ｒｅｄｕｎｄａｎｃｙ  Ｃｈｅｃｋ）を用いた誤り検出処理）を行う。誤り検出部８１０は、誤り検出処理後の受信データを受信信号出力部８１２に出力する。また、誤り検出部８１０は、誤り検出処理において受信データの誤りが検出されたか否かを示す誤り検出結果を生成して受信信号出力部８１２に出力する。
【００１１】
受信信号出力部８１２は、誤り検出部８１０から受信データおよび誤り検出結果を受信する。受信信号出力部８１２は、誤りが検出されたことを示す誤り検出結果を受信した場合、受信データを出力しない。一方、受信信号出力部８１２は、誤りが検出されなかったことを示す誤り検出結果を受信した場合、受信データを受信信号として出力する。
【００１２】
【非特許文献１】
「Ｐａｒｔ１  相次ぐ新方式：  １１ｂだけじゃない  ２００２年の主要５方式を押さえる」，  日経ＮＥＴＷＯＲＫ，  ２００２．０１，  ｐｐ．６４−６９
【００１３】
【発明が解決しようとする課題】
しかしながら、従来の送信装置、送信方法、受信装置および受信方法において、Ｋ個の拡散符号に割り当てることができる第１分割データにおけるデータ系列はＫ通りのみであるため、Ｋ通り以上のデータ系列を有する第１分割データを伝送することができないから、伝送可能なデータの量に限界があるので、伝送効率の向上に一定の限界があるという問題があった。
【００１４】
このような問題に対処する方法の一つとして、拡散符号の拡散率を増大させる方法が挙げられるが、この場合、伝送可能なデータの量を増大させることができる一方、所要周波数帯域も増大させてしまうという問題があった。
【００１５】
本発明は、かかる点に鑑みてなされたものであり、所要周波数帯域を増大させることなく伝送効率を向上させることができる送信装置、受信装置、送信方法および受信方法を提供することを目的とする。
【００１６】
【課題を解決するための手段】
本発明の送信装置は、送信データを二つに分割して第１および第２分割データを生成する分割手段と、生成された前記第１分割データを複数の拡散符号に割り当てる割り当て手段と、生成された前記第２分割データを前記第１分割データが割り当てられた前記複数の拡散符号を用いて拡散する拡散手段と、を具備する構成を採る。
【００１７】
この構成によれば、第１分割データを複数の拡散符号に割り当てて、複数の拡散符号を用いて第２分割データを拡散するため、伝送可能なデータ系列の数を複数の拡散符号の組み合わせの数だけ増大させることができるから、伝送可能なデータの量を増大させることができるので、所要周波数帯域を増大させることなく伝送効率を向上させることができる。
【００１８】
本発明の送信装置は、上記構成において、前記第１分割データが割り当てられる拡散符号の個数を限定する個数限定手段を具備し、前記割り当て手段が、限定された前記拡散符号の個数に基づいて前記第１分割データの割り当てを行う構成を採る。
【００１９】
この構成によれば、上記効果に加えて、第１分割データが割り当てられる拡散符号の個数を限定するため、誤り率の改善を図ることができる。
【００２０】
本発明の送信装置は、上記構成において、前記個数限定手段が、前記第２分割データを拡散することにより生成される拡散信号が伝送される回線の回線品質が良いか否かを判定して前記回線品質が悪い時に前記拡散符号の個数を限定する構成を採る。
【００２１】
この構成によれば、上記効果に加えて、回線品質が悪い時に拡散符号の個数を限定するため、回線品質が悪い時においても誤り率の改善を図ることができる。
【００２２】
本発明の送信装置は、上記構成において、前記個数限定手段が、前記第２分割データを拡散することにより生成される拡散信号の遅延分散量が大きいか否かを判定して前記遅延分散量が大きい時に前記拡散符号の個数を限定する構成を採る。
【００２３】
この構成によれば、上記効果に加えて、遅延分散量が大きい時に拡散符号の個数を限定するため、マルチパス環境下においても誤り率の改善を図ることができる。
【００２４】
本発明の送信装置は、上記構成において、前記個数限定手段が、前記送信データが制御用データまたは再送データであるか否かを判定して前記送信データが前記制御用データまたは前記再送データである時に前記拡散符号の個数を限定する構成を採る。
【００２５】
この構成によれば、上記効果に加えて、送信データが制御用データまたは再送データである時に拡散符号の個数を限定するため、制御用データおよび再送データの送信時に誤り率の改善を図ることができる。
【００２６】
本発明の基地局装置は、上記のいずれかに記載の送信装置を具備する構成を採る。
【００２７】
この構成によれば、上記効果に加えて、上記のいずれかに記載の送信装置と同様の作用効果を実現する基地局装置を提供することができる。
【００２８】
本発明の通信端末装置は、上記のいずれかに記載の送信装置を具備する構成を採る。
【００２９】
この構成によれば、上記効果に加えて、上記のいずれかに記載の送信装置と同様の作用効果を実現する通信端末装置を提供することができる。
【００３０】
本発明の受信装置は、複数の拡散符号を用いて拡散されている拡散信号に対して相関検出を行って複数の相関検出結果を生成する相関検出手段と、生成された前記複数の相関検出結果のうちの前記複数の拡散符号に対応する対応相関検出結果を選択する選択手段と、選択された前記対応相関検出結果を受信データとして出力するデータ出力手段と、を具備する構成を採る。
【００３１】
この構成によれば、複数の拡散符号を用いて拡散されている拡散信号に対して相関検出を行うことにより生成される複数の相関検出結果のうちの複数の拡散符号に対応する対応相関検出結果を選択して、対応相関検出結果を受信データとして出力するため、受信データとして出力される対応相関検出結果の数を複数の拡散信号の組み合わせの数だけ増大させることができるから、伝送可能なデータの量を増大させることができるので、所要周波数帯域を増大させることなく伝送効率を向上させることができる。
【００３２】
本発明の受信装置は、上記構成において、前記選択手段が、前記複数の相関検出結果のうちの最大相関値を有する第１相関検出結果と、前記最大相関値との差が所定値以下である相関値を有する少なくとも一つの第２相関検出結果と、を選択することにより前記対応相関検出結果の選択を行う構成を採る。
【００３３】
この構成によれば、上記効果に加えて、複数の相関検出結果のうちの最大相関値を有する第１相関検出結果と、最大相関値との差が所定値以下である相関値を有する少なくとも一つの第２相関検出結果と、を選択することにより対応相関検出結果の選択を行うため、誤り率の改善を図ることができる。
【００３４】
本発明の基地局装置は、上記のいずれかに記載の受信装置を具備する構成を採る。
【００３５】
この構成によれば、上記のいずれかに記載の受信装置と同様の作用効果を実現する基地局装置を提供することができる。
【００３６】
本発明の通信端末装置は、上記のいずれかに記載の受信装置を具備する構成を採る。
【００３７】
この構成によれば、上記のいずれかに記載の受信装置と同様の作用効果を実現する通信端末装置を提供することができる。
【００３８】
本発明の送信方法は、送信データを二つに分割して第１および第２分割データを生成する分割ステップと、生成した前記第１分割データを複数の拡散符号に割り当てる割り当てステップと、生成した前記第２分割データを前記第１分割データを割り当てた前記複数の拡散符号を用いて拡散する拡散ステップと、を具備するようにした。
【００３９】
この方法によれば、第１分割データを複数の拡散符号に割り当てて、複数の拡散符号を用いて第２分割データを拡散するため、伝送可能なデータ系列の数を複数の拡散符号の組み合わせの数だけ増大させることができるから、伝送可能なデータの量を増大させることができるので、所要周波数帯域を増大させることなく伝送効率を向上させることができる。
【００４０】
本発明の受信方法は、複数の拡散符号を用いて拡散されている拡散信号に対して相関検出を行って複数の相関検出結果を生成する相関検出ステップと、生成した前記複数の相関検出結果のうちの前記複数の拡散符号に対応する対応相関検出結果を選択する選択ステップと、選択した前記対応相関検出結果を受信データとして出力するデータ出力ステップと、を具備するようにした。
【００４１】
この方法によれば、複数の拡散符号を用いて拡散されている拡散信号に対して相関検出を行うことにより生成される複数の相関検出結果のうちの複数の拡散符号に対応する対応相関検出結果を選択して、対応相関検出結果を受信データとして出力するため、受信データとして出力される対応相関検出結果の数を複数の拡散信号の組み合わせの数だけ増大させることができるから、伝送可能なデータの量を増大させることができるので、所要周波数帯域を増大させることなく伝送効率を向上させることができる。
【００４２】
【発明の実施の形態】
本発明の骨子は、送信装置において、送信データを分割することにより生成される第１および第２分割データのうちの第１分割データを複数の拡散符号に割り当てて、前記複数の拡散符号を用いて前記第２分割データを拡散することである。また、本発明の骨子は、受信装置において、複数の拡散符号を用いて拡散されている拡散信号に対して相関検出を行うことにより生成される複数の相関検出結果のうちの前記複数の拡散符号に対応する対応相関検出結果を選択して、前記対応相関検出結果を受信データとして出力することである。
【００４３】
以下、本発明の実施の形態について、図面を参照して詳細に説明する。
【００４４】
（実施の形態１）
図１は、本発明の実施の形態１に係る送信装置の構成を示すブロック図である。
【００４５】
図１に示す送信装置１００は、送信データ出力部１０２、符号化部１０４、データ分割部１０６、拡散符号割り当て部１０８、メモリ装置１１０−１、…、１１０−Ｎ（Ｎは２以上の整数）、拡散部１１２、無線送信部１１４および送信アンテナ１１６を具備している。
【００４６】
符号化部１０４の入力端子は、送信データ出力部１０２に接続されている。データ分割部１０６の入力端子は、符号化部１０４に接続されている。拡散符号割り当て部１０８の入力端子は、データ分割部１０６に接続されている。メモリ装置１１０−１〜１１０−Ｎの入力端子は、拡散符号割り当て部１０８に接続されている。拡散部１１２の入力端子は、データ分割部１０６およびメモリ装置１１０−１〜１１０−Ｎに接続されている。無線送信部１１４の入力端子は、拡散部１１２に接続されている。送信アンテナ１１６の入力端子は、無線送信部１１４に接続されている。
【００４７】
送信データ出力部１０２は、送信信号に対して送信制御を行い送信データを出力する。符号化部１０４は、送信データに対して符号化処理を行う。データ分割部１０６は、符号化部１０４からの送信データに対してＳ／Ｐ変換処理を行う。そして、データ分割部１０６は、Ｓ／Ｐ変換処理後の送信データを二つのデータ系列に分割して第１および第２分割データを生成する。たとえば、データ分割部１０６は、８ビットのデータ系列を有する送信データを６ビットのデータ系列を有する第１分割データおよび２ビットのデータ系列を有する第２分割データに分割する。データ分割部１０６は、第１分割データを拡散符号割り当て部１０８に出力し、第２分割データを拡散部１１２に出力する。
【００４８】
拡散符号割り当て部１０８は、第１分割データにおける全てのデータ系列と、メモリ装置１１０−１〜１１０−Ｎに記憶されている拡散符号との対応関係を予め記憶している。拡散符号割り当て部１０８は、データ分割部１０６から第１分割データを受信する。この時、拡散符号割り当て部１０８は、対応関係に従って第１分割データにおけるデータ系列に対応する拡散符号を選択することにより、第１分割データを拡散符号に割り当てる。
【００４９】
ここで、拡散符号割り当て部１０８に予め記憶されている対応関係としては、あるデータ系列と１個の拡散符号とが互いに対応するもの、および、あるデータ系列と複数の拡散符号とが互いに対応するものが含まれる。すなわち、拡散符号割り当て部１０８は、第１分割データにおけるデータ系列に応じて、第１分割データを１個の拡散符号に割り当てる動作を実行する以外に、第１分割データを複数の拡散符号に割り当てる動作を実行する。また、拡散符号割り当て部１０８は、割り当て処理の結果を示す割り当て情報を生成してメモリ装置１１０−１〜１１０−Ｎに出力する。
【００５０】
メモリ装置１１０−１〜１１０−Ｎは、Ｎ個の拡散符号を予め記憶している。メモリ装置１１０−１〜１１０−Ｎは、拡散符号割り当て部１０８からの割り当て情報に従って、第１分割データが割り当てられた拡散符号を出力する。メモリ装置１１０−１〜１１０−Ｎは、第１分割データが複数の拡散符号に割り当てられたことを示す割り当て情報を受信した場合、当該複数の拡散符号を出力する。
【００５１】
より具体的には、割り当て情報において第１分割データがＭ個（Ｍは１以上Ｎ以下の整数）の拡散符号に割り当てられたことが示されている場合、メモリ装置１１０−１〜１１０−Ｎのうち当該Ｍ個の拡散符号のいずれかを記憶しているＭ個のメモリ装置は、記憶されている拡散符号を出力する。これと同時に、メモリ装置１１０−１〜１１０−Ｎのうち当該Ｍ個の拡散符号のいずれも記憶していないＮ−Ｍ個のメモリ装置は、拡散符号の代わりにオールゼロの情報を有する符号を出力する。なお、前記Ｎ−Ｍ個のメモリ装置は、何も出力しなくても良い。
【００５２】
拡散部１１２は、メモリ装置１１０−１〜１１０−Ｎからの拡散符号を用いて、データ分割部１０６からの第２分割データを拡散することにより拡散信号を生成する。拡散部１１２は、メモリ装置１１０−１〜１１０−Ｎから複数の拡散符号が出力された場合、出力された複数の拡散符号を用いて、データ分割部１０６からの第２分割データを拡散することにより拡散信号を生成する。
【００５３】
より具体的には、拡散部１１２は、メモリ装置１１０−１〜１１０−Ｎからのオールゼロの情報を有する符号を使用せずに、メモリ装置１１０−１〜１１０−ＮからのＭ個の拡散符号を用いて第２データ系列を拡散する。
【００５４】
無線送信部１１４は、拡散部１１２からの拡散信号をＲＦ信号に周波数変換して、送信アンテナ１１６から無線送信する。
【００５５】
図２は、本発明の実施の形態１に係る送信装置１００と無線通信を行う受信装置の構成を示すブロック図である。
【００５６】
図２に示す受信装置２００は、受信アンテナ２０２、無線受信部２０４、相関検出部２０６−１、…、２０６−Ｎ、対応相関検出結果選択部２０８、受信データ出力部２１０、誤り訂正部２１２、誤り検出部２１４および受信信号出力部２１６を具備している。
【００５７】
無線受信部２０４の入力端子は、受信アンテナ２０２に接続されている。相関検出部２０６−１〜２０６−Ｎの入力端子は、無線受信部２０４に接続されている。対応相関検出結果選択部２０８の入力端子は、相関検出部２０６−１〜２０６−Ｎに接続されている。受信データ出力部２１０の入力端子は、対応相関検出結果選択部２０８に接続されている。誤り訂正部２１２の入力端子は、受信データ出力部２１０に接続されている。誤り検出部２１４に入力端子は、誤り訂正部２１２に接続されている。受信信号出力部２１６の入力端子は、誤り検出部２１４に接続されている。
【００５８】
また、図３は、対応相関検出結果選択部２０８の内部構成の一例を示すブロック図である。対応相関検出結果選択部２０８は、最大値検出部３０２、重み付け部３０４および比較部３０６を具備している。
【００５９】
最大値検出部３０２の入力端子は、相関検出部２０６−１〜２０６−Ｎに接続されている。重み付け部３０４の入力端子は、最大値検出部３０２に接続されている。比較部３０６の入力端子は、相関検出部２０６−１〜２０６−Ｎおよび重み付け部３０４に接続されている。
【００６０】
無線受信部２０４は、受信アンテナ２０２を介して送信装置１００から拡散信号を受信する。ここで、送信装置１００からの拡散信号は、上述のとおり、１個の拡散符号を用いて拡散されているものの他に、複数の拡散符号を用いて拡散されているものを含む。無線受信部２０４は、拡散信号をベースバンド信号に周波数変換する。
【００６１】
相関検出部２０６−１〜２０６−Ｎは、Ｎ個の拡散符号を予め記憶している。相関検出部２０６−１〜２０６−Ｎは、Ｎ個の拡散符号の各々を用いて無線受信部２０４からの拡散信号に対して相関検出を行う。相関検出部２０６−１〜２０６−Ｎは、この相関検出処理を行うことによりＮ個の相関検出結果を生成する。ここで、Ｎ個の相関検出結果は、Ｎ個の拡散符号にそれぞれ対応するものである。
【００６２】
対応相関検出結果選択部２０８は、相関検出部２０６−１〜２０６−ＮからのＮ個の相関検出結果のうち、拡散信号を生成する際に送信装置１００の拡散符号において用いられた拡散符号に対応する相関検出結果を対応相関検出結果として選択する。拡散信号が複数の拡散符号を用いて拡散されていたものである場合、対応相関検出結果選択部２０８は、当該複数の拡散符号に対応する複数の相関検出結果を対応相関検出結果として選択する。
【００６３】
ここで、対応相関検出結果選択部２０８における選択動作の一例について説明する。
【００６４】
最大値検出部３０２は、相関検出部２０６−１〜２０６−ＮからのＮ個の相関検出結果における各相関値を相互に比較することにより、最大相関値を検出して重み付け部３０４に出力する。
【００６５】
重み付け部３０４は、最大値検出部３０２からの最大相関値に対して重み付けを行う。たとえば、重み付け部３０４は、最大相関値に所定の係数（たとえば０．７５倍）を乗算することにより重み付けを行って基準値を生成する。重み付け部３０４は、基準値を比較部３０６に出力する。
【００６６】
比較部３０６は、相関検出部２０６−１〜２０６−ＮからのＮ個の相関検出結果における各相関値を重み付け部３０４からの基準値と比較して、基準値より大きい相関値を有する相関検出結果を対応相関検出結果として選択して受信データ出力部２１０に出力する。拡散信号が複数の拡散符号を用いて拡散されていたものである場合、比較部３０６は、２個以上の相関検出結果を対応相関検出結果として選択する。
【００６７】
すなわち、拡散信号が複数の拡散符号を用いて拡散されていたものである場合、対応相関検出結果選択部２０８は、Ｎ個の相関検出結果のうちの最大相関値を有する第１相関検出結果と、最大相関値との差が所定値以下である相関値を有する少なくとも一つの第２相関検出結果と、を選択することにより、対応相関検出結果の選択を行う。たとえば、拡散信号を拡散している拡散符号の個数が１個である場合、第１相関検出結果の数は１個であり、かつ、第２相関検出結果の数は０個である。また、拡散信号を拡散している拡散符号の個数が複数である場合、第１相関検出結果の数は１個であり、第２相関検出結果の数は１個以上である。このように、Ｎ個の相関検出結果のうちの最大相関値を有する第１相関検出結果と、最大相関値との差が所定値以下である相関値を有する第２相関検出結果と、を選択することにより対応相関検出結果の選択を行うため、誤り率の改善を図ることができる。
【００６８】
受信データ出力部２１０は、対応相関検出結果を受けて受信データとして出力する。
【００６９】
誤り訂正部２１２は、受信データ出力部２１０からの受信データに対して誤り訂正処理を行う。誤り検出部２１４は、誤り訂正部２１２からの受信データに対して誤り検出処理（たとえばＣＲＣ（Ｃｙｃｌｉｃ  Ｒｅｄｕｎｄａｎｃｙ  Ｃｈｅｃｋ）を用いた誤り検出処理）を行う。誤り検出部２１４は、誤り検出処理後の受信データを受信信号出力部２１６に出力する。また、誤り検出部２１４は、誤り検出処理において受信データの誤りが検出されたか否かを示す誤り検出結果を生成して受信信号出力部２１６に出力する。
【００７０】
受信信号出力部２１６は、誤り検出部２１４から受信データおよび誤り検出結果を受信する。受信信号出力部２１６は、誤りが検出されたことを示す誤り検出結果を受信した場合、受信データを出力しない。一方、受信信号出力部２１６は、誤りが検出されなかったことを示す誤り検出結果を受信した場合、受信データを受信信号として出力する。
【００７１】
次いで、上記構成を有する送信装置１００における拡散符号割り当て部１０８の割り当て動作の一例について説明する。ここでは、メモリ装置１１０−１〜１１０−Ｎに３個の拡散符号（拡散符号＃１〜＃３）が記憶されているものとして説明する（つまり、Ｎ＝３）。
【００７２】
拡散符号割り当て部１０８は、第１分割データにおけるデータ系列および拡散符号の対応関係を予め記憶している。この対応関係において、ある特定のデータ系列＃１に対して拡散符号＃１が対応する。他の特定のデータ系列＃２に対して拡散符号＃２が対応する。さらに他の特定のデータ系列＃３に対して拡散符号＃３が対応する。さらに他の特定のデータ系列＃４に対して拡散符号＃１および拡散符号＃２の組み合わせが対応する。さらに他の特定のデータ系列＃５に対して拡散符号＃１および拡散符号＃３の組み合わせが対応する。さらに他の特定のデータ系列＃６に対して拡散符号＃２および拡散符号＃３の組み合わせが対応する。さらに他の特定のデータ系列に対して拡散符号＃１〜＃３の組み合わせが対応する。
【００７３】
拡散符号割り当て部１０８は、データ分割部１０６から第１分割データを受信した時に、データ系列＃１〜＃７のうちの受信した第１分割データにおけるデータ系列と同一のデータ系列に対応する拡散符号（１個の拡散符号または複数の拡散符号の組み合わせ）を選択することにより第１分割データを当該拡散符号に割り当てる。そして、拡散符号割り当て部１０８は、この割り当ての結果を示す割り当て情報をメモリ装置１１０−１〜１１０−Ｎに出力する。
【００７４】
なお、ここではＮ＝３の場合について説明したが、拡散符号の個数は、これに限定されない。拡散符号の個数が多いほど複数の拡散符号の組み合わせの数が増大し、それに伴って伝送可能なデータ系列の数が増大する。
【００７５】
このように、実施の形態１によれば、送信装置１００において、第１分割データを複数の拡散符号に割り当てて、複数の拡散符号を用いて第２分割データを拡散するため、伝送可能なデータ系列の数を複数の拡散符号の組み合わせの数だけ増大させることができるから、伝送可能なデータの量を増大させることができるので、所要周波数帯域を増大させることなく伝送効率を向上させることができる。
【００７６】
また、実施の形態１によれば、受信装置２００において、複数の拡散符号を用いて拡散されている拡散信号に対して相関検出を行うことにより生成されるＮ個の相関検出結果のうちの複数の拡散符号に対応する対応相関検出結果を選択して、対応相関検出結果を受信データとして出力するため、受信データとして出力される対応相関検出結果の数を複数の拡散信号の組み合わせの数だけ増大させることができるから、伝送可能なデータの量を増大させることができるので、所要周波数帯域を増大させることなく伝送効率を向上させることができる。
【００７７】
（実施の形態２）
図４は、本発明の実施の形態２に係る送信装置の構成を示すブロック図である。なお、実施の形態２に係る送信装置は、実施の形態１において説明した送信装置１００と同様の基本的構成を有しており、同一の構成要素には同一の参照符号を付し、その説明を省略する。また、実施の形態２に係る送信装置と無線通信を行う受信装置は、実施の形態１において説明した受信装置２００と同一の構成を有するため、その説明を省略する。
【００７８】
図４に示す送信装置４００は、図１に示す送信装置１００における拡散符号割り当て部１０８の代わりに、個数限定部４０２および拡散符号適応割り当て部４０４を具備して成るものである。
【００７９】
符号化部１０４の入力端子は、送信データ出力部１０２に接続されている。データ分割部１０６の入力端子は、符号化部１０４に接続されている。拡散符号適応割り当て部４０４の入力端子は、データ分割部１０６および個数限定部４０２に接続されている。メモリ装置１１０−１〜１１０−Ｎの入力端子は、拡散符号適応割り当て部４０４に接続されている。拡散部１１２の入力端子は、データ分割部１０６およびメモリ装置１１０−１〜１１０−Ｎに接続されている。無線送信部１１４の入力端子は、拡散部１１２に接続されている。送信アンテナ１１６の入力端子は、無線送信部１１４に接続されている。
【００８０】
個数限定部４０２は、拡散符号適応割り当て部４０４において第１分割データが割り当てられる拡散符号の個数を限定する。個数限定部４０２は、限定された個数を示す個数限定信号を生成して出力する。
【００８１】
拡散符号適応割り当て部４０４は、第１分割データにおける全てのデータ系列と、メモリ装置１１０−１〜１１０−Ｎに記憶されている拡散符号との対応関係を予め記憶している。拡散符号適応割り当て部４０４は、データ分割部１０６から第１分割データを受信する。この時、拡散符号適応割り当て部４０４は、対応関係に従って第１分割データにおけるデータ系列に対応する拡散符号を選択することにより、第１分割データを拡散符号に割り当てる。
【００８２】
ここで、拡散符号適応割り当て部４０４に予め記憶されている対応関係としては、あるデータ系列と１個の拡散符号とが互いに対応するもの、および、あるデータ系列と複数の拡散符号とが互いに対応するものが含まれる。すなわち、拡散符号適応割り当て部４０４は、第１分割データにおけるデータ系列に応じて、第１分割データを１個の拡散符号に割り当てる動作を実行する以外に、第１分割データを複数の拡散符号に割り当てる動作を実行する。また、拡散符号適応割り当て部４０４は、割り当て処理の結果を示す割り当て情報を生成してメモリ装置１１０−１〜１１０−Ｎに出力する。
【００８３】
また、拡散符号適応割り当て部４０４は、個数限定部４０２からの個数限定信号に示された個数に基づいて第１分割データの割り当てを行う。
【００８４】
ここで、個数限定部４０２における個数限定の具体的な動作および拡散符号適応割り当て部４０４における割り当ての具体的な動作の一例について説明する。ここでは、メモリ装置１１０−１〜１１０−Ｎに４個の拡散符号（拡散符号＃１〜＃４）が記憶されているものとして説明する（つまり、Ｎ＝４）。
【００８５】
まず、個数限定部４０２は、拡散信号が伝送される回線の回線品質を示す数値（たとえばＲＳＳＩ（Ｒｅｃｅｉｖｅｄ  Ｓｉｇｎａｌ  Ｓｔｒｅｎｇｔｈ  Ｉｎｄｉｃａｔｏｒ））を所定の閾値と比較することにより回線の良否を判定する。
【００８６】
そして、個数限定部４０２は、判定の結果として回線品質が良い（たとえば、回線品質を示す数値が所定の閾値より大きい）時、個数限定信号を生成しない。この場合、拡散符号適応割り当て部４０４は、第１分割データが割り当られる拡散符号の個数を限定せず、４個の拡散符号を使用して第１分割データの割り当てを行う。
【００８７】
一方、個数限定部４０２は、判定の結果として回線品質が悪い（たとえば、回線品質を示す数値が所定の閾値以下である）時、第１分割データが割り当てられる拡散符号の個数を２個に限定する個数限定信号を生成して拡散符号適応割り当て部４０４に出力する。この場合、拡散符号適応割り当て部４０４は、第１分割データが割り当られる拡散符号の個数を２個に限定して、メモリ装置１１０−１〜１１０−Ｎに記憶されている拡散符号＃１〜＃４のうちの特定の２個の拡散符号を使用して第１分割データの割り当てを行う。より具体的には、拡散符号適応割り当て部４０４は、第１分割データを特定の２個の拡散符号のいずれか一方または両方に割り当てる。
【００８８】
なお、ここでは、個数限定部４０２は、回線品質が悪い場合に拡散符号の個数を２個に限定しているが、これに限定されない。たとえば、個数限定部４０２は、回線品質が悪い場合に拡散符号の個数を１個に限定しても良い。
【００８９】
このように、実施の形態２によれば、実施の形態１における効果に加えて、送信装置４００において、第１分割データが割り当てられる拡散符号の個数を限定するため、誤り率の改善を図ることができる。また、実施の形態２によれば、回線品質が悪い時に拡散符号の個数を限定するため、回線品質が悪い時においても誤り率の改善を図ることができる。
【００９０】
（実施の形態３）
図５は、本発明の実施の形態３に係る送信装置の構成を示すブロック図である。なお、実施の形態３に係る送信装置は、実施の形態１において説明した送信装置１００と同様の基本的構成を有しており、同一の構成要素には同一の参照符号を付し、その説明を省略する。また、実施の形態３に係る送信装置と無線通信を行う受信装置は、実施の形態１において説明した受信装置２００と同一の構成を有するため、その説明を省略する。
【００９１】
図５に示す送信装置５００は、図１に示す送信装置１００における拡散符号割り当て部１０８の代わりに、個数限定部５０２および拡散符号適応割り当て部４０４を具備して成るものである。
【００９２】
符号化部１０４の入力端子は、送信データ出力部１０２に接続されている。データ分割部１０６の入力端子は、符号化部１０４に接続されている。拡散符号適応割り当て部４０４の入力端子は、データ分割部１０６および個数限定部５０２に接続されている。メモリ装置１１０−１〜１１０−Ｎの入力端子は、拡散符号適応割り当て部４０４に接続されている。拡散部１１２の入力端子は、データ分割部１０６およびメモリ装置１１０−１〜１１０−Ｎに接続されている。無線送信部１１４の入力端子は、拡散部１１２に接続されている。送信アンテナ１１６の入力端子は、無線送信部１１４に接続されている。
【００９３】
個数限定部５０２は、拡散符号適応割り当て部４０４において第１分割データが割り当てられる拡散符号の個数を限定する。個数限定部５０２は、限定された個数を示す個数限定信号を生成して出力する。
【００９４】
ここで、個数限定部５０２における個数限定の具体的な動作の一例について説明する。ここでは、メモリ装置１１０−１〜１１０−Ｎに４個の拡散符号（拡散符号＃１〜＃４）が記憶されているものとして説明する（つまり、Ｎ＝４）。
【００９５】
まず、個数限定部５０２は、拡散信号の遅延分散量を所定の閾値と比較することにより拡散信号の遅延分散量が大きいか否かを判定する。
【００９６】
そして、個数限定部５０２は、判定の結果として遅延分散量が小さい（たとえば、遅延分散量が所定の閾値以下である）時、個数限定信号を生成しない。この場合、拡散符号適応割り当て部４０４は、第１分割データが割り当てられる拡散符号の個数を限定せず、４個の拡散符号を使用して第１分割データの割り当てを行う。
【００９７】
一方、個数限定部５０２は、判定の結果として遅延分散量が大きい（たとえば遅延分散量が所定の閾値より大きい）時、第１分割データが割り当てられる拡散符号の個数を２個に限定する個数限定信号を生成して拡散符号適応割り当て部４０４に出力する。この場合、拡散符号適応割り当て部４０４は、第１分割データが割り当られる拡散符号の個数を２個に限定して、メモリ装置１１０−１〜１１０−Ｎに記憶されている拡散符号＃１〜＃４のうちの特定の２個の拡散符号を使用して第１分割データの割り当てを行う。より具体的には、拡散符号適応割り当て部４０４は、第１分割データを特定の２個の拡散符号のいずれか一方または両方に割り当てる。
【００９８】
なお、ここでは、個数限定部５０２は、遅延分散量が大きい時に拡散符号の個数を２個に限定しているが、これに限定されない。たとえば、個数限定部５０２は、遅延分散量が大きい時に拡散符号の個数を１個に限定しても良い。
【００９９】
このように、実施の形態３によれば、実施の形態１における効果に加えて、送信装置５００において、第１分割データが割り当てられる拡散符号の個数を限定するため、誤り率の改善を図ることができる。また、実施の形態３によれば、拡散信号の遅延分散量が大きい時に拡散符号の個数を限定するため、マルチパス環境下においても誤り率の改善を図ることができる。
【０１００】
なお、実施の形態３に係る送信装置５００は、実施の形態２において説明した送信装置４００に適用することができる。この場合も、上記と同様の作用効果を実現することができる。
【０１０１】
（実施の形態４）
図６は、本発明の実施の形態４に係る送信装置の構成を示すブロック図である。なお、実施の形態４に係る送信装置は、実施の形態１において説明した送信装置１００と同様の基本的構成を有しており、同一の構成要素には同一の参照符号を付し、その説明を省略する。また、実施の形態４に係る送信装置と無線通信を行う受信装置は、実施の形態１において説明した受信装置２００と同一の構成を有するため、その説明を省略する。
【０１０２】
図６に示す送信装置６００は、図１に示す送信装置１００における拡散符号割り当て部１０８の代わりに、個数限定部６０２および拡散符号適応割り当て部４０４を具備して成るものである。
【０１０３】
符号化部１０４の入力端子は、送信データ出力部１０２に接続されている。データ分割部１０６の入力端子は、符号化部１０４に接続されている。拡散符号適応割り当て部４０４の入力端子は、データ分割部１０６および個数限定部６０２に接続されている。メモリ装置１１０−１〜１１０−Ｎの入力端子は、拡散符号適応割り当て部４０４に接続されている。拡散部１１２の入力端子は、データ分割部１０６およびメモリ装置１１０−１〜１１０−Ｎに接続されている。無線送信部１１４の入力端子は、拡散部１１２に接続されている。送信アンテナ１１６の入力端子は、無線送信部１１４に接続されている。
【０１０４】
個数限定部６０２は、拡散符号適応割り当て部４０４において第１分割データが割り当てられる拡散符号の個数を限定する。個数限定部６０２は、限定された個数を示す個数限定信号を生成して出力する。
【０１０５】
ここで、個数限定部６０２における個数限定の具体的な動作の一例について説明する。ここでは、メモリ装置１１０−１〜１１０−Ｎに４個の拡散符号（拡散符号＃１〜＃４）が記憶されているものとして説明する（つまり、Ｎ＝４）。
【０１０６】
まず、個数限定部６０２は、送信データが、制御用データであるか、再送データであるか、または、その他のデータであるか、を判定する。
【０１０７】
そして、個数限定部６０２は、判定の結果として送信データが制御用データおよび再送データ以外のデータ（その他のデータ）である時、個数限定信号を生成しない。この場合、拡散符号適応割り当て部４０４は、第１分割データが割り当てられる拡散符号の個数を限定せず、４個の拡散符号を使用して第１分割データの割り当てを行う。
【０１０８】
一方、個数限定部６０２は、判定の結果として送信データが制御用データまたは再送データである時、第１分割データが割り当てられる拡散符号の個数を２個に限定する個数限定信号を生成して拡散符号適応割り当て部４０４に出力する。この場合、拡散符号適応割り当て部４０４は、第１分割データが割り当られる拡散符号の個数を２個に限定して、メモリ装置１１０−１〜１１０−Ｎに記憶されている拡散符号＃１〜＃４のうちの特定の２個の拡散符号を使用して第１分割データの割り当てを行う。より具体的には、拡散符号適応割り当て部４０４は、第１分割データを特定の２個の拡散符号のいずれか一方または両方に割り当てる。
【０１０９】
なお、ここでは、個数限定部６０２は、送信データが制御用データまたは再送データである時に拡散符号の個数を２個に限定しているが、これに限定されない。たとえば、個数限定部６０２は、送信データが制御用データまたは再送データである時に拡散符号の個数を１個に限定しても良い。また、個数限定部６０２は、送信データが制御用データまたは再送データである時に拡散符号の個数の限定を行っているが、これに限定されない。個数限定部６０２は、送信データが制御用データおよび再送データと同様に良好な回線品質が要求される重要なデータである場合に、拡散符号の個数の限定を行っても良い。
【０１１０】
このように、実施の形態４によれば、実施の形態１における効果に加えて、送信装置６００において、第１分割データが割り当てられる拡散符号の個数を限定するため、誤り率の改善を図ることができる。また、実施の形態４によれば、送信データが制御用データまたは再送データである時に拡散符号の個数を限定するため、制御用データおよび再送データの送信時に誤り率の改善を図ることができる。
【０１１１】
なお、実施の形態４に係る送信装置６００は、実施の形態２において説明した送信装置４００および実施の形態３において説明した送信装置５００のいずれにも適用することができる。この場合も、上記と同様の作用効果を実現することができる。
【０１１２】
なお、実施の形態１から実施の形態４の全てにおいて説明した送信装置１００、４００、５００、６００は、無線通信システムにおける基地局装置に適用できる。この場合、送信装置１００、４００、５００、６００と同様の作用効果を基地局装置において実現することができる。また、実施の形態１から実施の形態４の全てにおいて説明した送信装置１００、４００、５００、６００は、無線通信システムにおける通信端末装置に適用できる。この場合、送信装置１００、４００、５００、６００と同様の作用効果を通信端末装置において実現することができる。
【０１１３】
また、実施の形態１から実施の形態４の全てにおいて説明した受信装置２００は、無線通信システムにおける基地局装置に適用できる。この場合、受信装置２００と同様の作用効果を基地局装置において実現することができる。また、実施の形態１から実施の形態４の全てにおいて説明した受信装置２００は、無線通信システムにおける通信端末装置に適用できる。この場合、受信装置２００と同様の作用効果を通信端末装置において実現することができる。
【０１１４】
【発明の効果】
以上説明したように、本発明によれば、所要周波数帯域を増大させることなく伝送効率を向上させることができる。
【図面の簡単な説明】
【図１】本発明の実施の形態１に係る送信装置の構成を示すブロック図
【図２】本発明の実施の形態１に係る送信装置と無線通信を行う受信装置の構成を示すブロック図
【図３】本発明の実施の形態１に係る送信装置と無線通信を行う受信装置の対応相関検出結果選択部の内部構成の一例を示すブロック図
【図４】本発明の実施の形態２に係る送信装置の構成を示すブロック図
【図５】本発明の実施の形態３に係る送信装置の構成を示すブロック図
【図６】本発明の実施の形態４に係る送信装置の構成を示すブロック図
【図７】従来の送信装置の構成の一例を示すブロック図
【図８】従来の送信装置と無線通信を行う受信装置の構成の一例を示すブロック図
【図９】従来の送信装置と無線通信を行う受信装置の復調部の内部構成の一例を示すブロック図
【符号の説明】
１００、４００、５００、６００  送信装置
１０２  送信データ出力部
１０４  符号化部
１０６  データ分割部
１０８  拡散符号割り当て部
１１０−１、…、１１０−Ｎ  メモリ装置
１１２  拡散部
１１４  無線送信部
１１６  送信アンテナ
２００  受信装置
２０２  受信アンテナ
２０４  無線受信部
２０６−１、…、２０６−Ｎ  相関検出部
２０８  対応相関検出結果選択部
２１０  受信データ出力部
２１２  誤り訂正部
２１４  誤り検出部
２１６  受信信号出力部
３０２  最大値検出部
３０４  重み付け部
３０６  比較部
４０２、５０２、６０２  個数限定部
４０４  拡散符号適応割り当て部
【図１】
2004260507.tif 000003
【図２】
2004260507.tif 000004
【図３】
2004260507.tif 000005
【図４】
2004260507.tif 000006
【図５】
2004260507.tif 000007
【図６】
2004260507.tif 000008
【図７】
2004260507.tif 000009
【図８】
2004260507.tif 000010
【図９】
2004260507.tif 000011